Podtech/llm-jp-corpus-v4-ja_patent huggingface dataset:
【手続補正書】
【提出日】平成16年8月18日(2004.8.18)
【手続補正１】
【補正対象書類名】特許請求の範囲
【補正対象項目名】請求項２４
【補正方法】変更
【補正の内容】
【請求項２４】
隣接した冷却チャネル（１１）を画成するための仕切り壁（１０）を前記内壁及び外壁（８、９）間に配置しており、該仕切り壁は、前記内壁の端部分に配置され、また、溝（２２）を前記内壁に向けて前記仕切り壁に貫設し、該溝を前記外壁の端部（２１１）付近に設けて、前記内壁の前記端部分を折り曲げるためのノッチを形成することを特徴とする請求項２３に記載の方法。
【手続補正２】
【補正対象書類名】明細書
【補正対象項目名】００２８
【補正方法】変更
【補正の内容】
【００２８】
図４は、図３に従った第２部分品６の断面の概略図である。図面は、図示の部品が湾曲していない点で、簡略化されている。仕切り壁１０の各々の端部が、外壁９ｂの端部２１１から内壁８ｂの縁部１６まで傾斜している。さらに、第１部分品５は、第２部品６について図示して説明したものと同様な特徴を有する。  
【手続補正３】
【補正対象書類名】明細書
【補正対象項目名】００２９
【補正方法】変更
【補正の内容】
【００２９】
図５は、部分品６を製造するための１つのステップを示す。部分品の壁構造体は、内壁８ｂが外壁９ｂに平行に配置されて、外壁の端部２１１から一定距離だけ突出するように形成される。その後、内壁８ｂの突出端部分を外壁の端部２１１に向けて折り曲げ、それにより、縁部１６を形成する。内壁８ｂの端部分１５が、折り曲げた後の直立位置に点線で示されている。
【手続補正４】
【補正対象書類名】明細書
【補正対象項目名】００３０
【補正方法】変更
【補正の内容】
【００３０】
図６〜図８は、本発明の第２実施形態を示している。この実施形態は、内壁８ｃの端部分１５にも仕切り壁１０ｃが設けられている点で、第１実施形態と異なっている。第１ステップで、仕切り壁が内壁の端部までの全体に延在するように部材１０６を製造する。その後、外壁９ｃの端部２１１付近において、溝２２を内壁８ｃに向けて仕切り壁に貫設して、内壁のこの端部分を折り曲げるためのノッチを形成する。その後、端部分１５を外壁９ｃの端部に向けて折り曲げる。
【手続補正５】
【補正対象書類名】図面
【補正対象項目名】図４
【補正方法】変更
【補正の内容】
【図４】
2005513322.tif 000001
【手続補正６】
【補正対象書類名】図面
【補正対象項目名】図５
【補正方法】変更
【補正の内容】
【図５】
2005513322.tif 000002
【手続補正７】
【補正対象書類名】図面
【補正対象項目名】図８
【補正方法】変更
【補正の内容】
【図８】
2005513322.tif 000003
【手続補正書】
【提出日】平成16年8月24日(2004.8.24)
【手続補正１】
【補正対象書類名】明細書
【補正対象項目名】００６１
【補正方法】変更
【補正の内容】
【００６１】
上述した図において、連絡口は実質的に、モータの回転軸を中心とした円の円弧上にある。
【手続補正書】
【提出日】平成16年11月19日(2004.11.19)
【手続補正１】
【補正対象書類名】明細書
【補正対象項目名】０００１
【補正方法】変更
【補正の内容】
【０００１】
本発明は、物体を搬送手段又は結束手段に連結するために役立つ物体の止め手段に関する。止め手段は、物体に留められ、物体に関し相対的な移動に対して固定されている固定部材と取付け部材とを有する。取付け部材は、固定部材に関して回転可能に取付けられており、かつ取付け部材はフォークヘッドを有し、そのフォーク股は、横ボルトによって閉じられることができる挿入ギャップをそれらの端部で制限している。
【手続補正２】
【補正対象書類名】明細書
【補正対象項目名】０００４
【補正方法】変更
【補正の内容】
【０００４】
本発明は、チェーンストランド部分の端部リンクを取付けることができるだけでなく、公知の関係する止め手段と対比して考慮されたタイプの止め手段を提供することを目的とする。本発明により、この目的は、取付け部材の挿入ギャップが実質的に環状の小穴に隣接し、その小穴の内側幅が挿入ギャップの内側幅より大きく、該ギャップの内側幅はフォークヘッドに挿入されることができる要素の平らな領域と調和されているという事実により考慮されるタイプの止め手段の場合に達成される。
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
次の重量百分率
（ａ）約４０％〜約７５％の式Ｉのモノマー：
Ｒf−ＣＨ2ＣＨ2−ＯＣ（Ｏ）−Ｃ（Ｒ）＝ＣＨ2  Ｉ
（ｂ）約１５％〜約５５％の式ＩＩのモノマー：
Ｒ2−ＯＣ（Ｏ）−Ｃ（Ｒ）＝ＣＨ2  ＩＩ
（ｃ）１．５％〜約５％の式ＩＩＩのモノマー：
ＨＯ−ＣＨ2ＣＨ2−ＯＣ（Ｏ）−Ｃ（Ｒ）＝ＣＨ2  ＩＩＩ
（ｄ）１．５％〜約５％の式ＩＶのモノマー：
Ｈ−（ＯＣＨ2ＣＨ2）m−Ｏ−Ｃ（Ｏ）−Ｃ（Ｒ）＝ＣＨ2  ＩＶ
（ｅ）１％〜約３％の式Ｖのモノマー：
ＨＯ−ＣＨ2−ＮＨ−Ｃ（Ｏ）−Ｃ（Ｒ）＝ＣＨ2  Ｖ
（ｆ）０％〜約９．８％の塩化ビニリデン、酢酸ビニル、またはそれらの混合物、および
（ｇ）０％〜約２％のブロック化イソシアネート、
（式中、Ｒfは、２〜約２０個の炭素原子の直鎖または分枝鎖のパーフルオロアルキル基であり、各Ｒは独立してＨまたはＣＨ3であり、Ｒ2は、２〜約１８個の炭素原子のアルキル鎖であり、かつ、ｍは２〜約１０である）で共重合されたモノマーを含むことを特徴とする共重合体。
【請求項２】
撥油性および撥水性を与えるために布または布ブレンドを処理する方法であって、次の重量百分率
（ａ）約４０％〜約７５％の式Ｉのモノマー：
Ｒf−ＣＨ2ＣＨ2−ＯＣ（Ｏ）−Ｃ（Ｒ）＝ＣＨ2  Ｉ
（ｂ）約１５％〜約５５％の式ＩＩのモノマー：
Ｒ2−ＯＣ（Ｏ）−Ｃ（Ｒ）＝ＣＨ2  ＩＩ
（ｃ）１．５％〜約５％の式ＩＩＩのモノマー：
ＨＯ−ＣＨ2ＣＨ2−ＯＣ（Ｏ）−Ｃ（Ｒ）＝ＣＨ2  ＩＩＩ
（ｄ）１．５％〜約５％の式ＩＶのモノマー：
Ｈ−（ＯＣＨ2ＣＨ2）m−Ｏ−Ｃ（Ｏ）−Ｃ（Ｒ）＝ＣＨ2  ＩＶ
（ｅ）１％〜約３％の式Ｖのモノマー：
ＨＯ−ＣＨ2−ＮＨ−Ｃ（Ｏ）−Ｃ（Ｒ）＝ＣＨ2  Ｖ
（ｈ）０％〜約９．８％の塩化ビニリデン、酢酸ビニル、またはそれらの混合物、および
（ｉ）０％〜約２％のブロック化イソシアネート、
（式中、Ｒfは、２〜約２０個の炭素原子の直鎖または分枝鎖のパーフルオロアルキル基であり、各Ｒは独立してＨまたはＣＨ3であり、Ｒ2は、２〜約１８個の炭素原子のアルキル鎖であり、かつ、ｍは２〜約１０である）で共重合されたモノマーを含むコポリマーの分散物を布または布ブレンドの表面へ塗布することを含むことを特徴とする方法。
【請求項３】
その表面に請求項１に記載の共重合体が塗布されることを特徴とする布または布ブレンド。
【手続補正２】
【補正対象書類名】明細書
【補正対象項目名】００６３
【補正方法】変更
【補正の内容】
【００６３】
比較例ＡおよびＢは、本発明の実施例１〜６よりもはるかに多く黄変した。このデータは、実施例１〜６のポリマーからの塩化ビニリデンの減少または排除が硬化時の黄変結果を劇的に減少させることを例示した。何の塩化ビニリデンも存在しない比較例Ｂの黄変は、ブロックドイソシアネート構成成分の存在に基因した。色の減少は、白色または淡色布を仕上剤で処理する場合に特に重要である。再びこのデータは、これらの仕上剤が多くの異なる布および布の色にわたっていかに万能であるかを例示した。
本発明は、添付の特許請求の範囲に記載の発明を含めた以下の発明を包含する。
（１）  次の重量百分率
（ａ）約４０％〜約７５％の式Ｉのモノマー：
Ｒf−ＣＨ2ＣＨ2−ＯＣ（Ｏ）−Ｃ（Ｒ）＝ＣＨ2  Ｉ
（ｂ）約１５％〜約５５％の式ＩＩのモノマー：
Ｒ2−ＯＣ（Ｏ）−Ｃ（Ｒ）＝ＣＨ2  ＩＩ
（ｃ）１．５％〜約５％の式ＩＩＩのモノマー：
ＨＯ−ＣＨ2ＣＨ2−ＯＣ（Ｏ）−Ｃ（Ｒ）＝ＣＨ2  ＩＩＩ
（ｄ）１．５％〜約５％の式ＩＶのモノマー：
Ｈ−（ＯＣＨ2ＣＨ2）m−Ｏ−Ｃ（Ｏ）−Ｃ（Ｒ）＝ＣＨ2  ＩＶ
（ｅ）１％〜約３％の式Ｖのモノマー：
ＨＯ−ＣＨ2−ＮＨ−Ｃ（Ｏ）−Ｃ（Ｒ）＝ＣＨ2  Ｖ
（ｆ）０％〜約９．８％の塩化ビニリデン、酢酸ビニル、またはそれらの混合物、および
（ｇ）０％〜約２％のブロック化イソシアネート、
（式中、Ｒfは、２〜約２０個の炭素原子の直鎖または分枝鎖のパーフルオロアルキル基であり、各Ｒは独立してＨまたはＣＨ3であり、Ｒ2は、２〜約１８個の炭素原子のアルキル鎖であり、かつ、ｍは２〜約１０である）で共重合されたモノマーを含むことを特徴とする共重合体。
（２）  式Ｉのモノマー（ａ）のＲfがＣＦ3ＣＦ2（ＣＦ2）xＣ2Ｈ4ＯＣ（Ｏ）−Ｃ（Ｈ）＝ＣＨ2（式中、ｘは、約３％、５０％、３１％、１０％。３％、２％および１％のそれぞれの相対量で、６、８、１０、１２、１４、１６、および１８である）であり、かつ、前記モノマーが約５６９の重量平均分子量を有することを特徴とする（１）に記載の共重合体組成物。
（３）  モノマー（ｂ）が（メタ）アクリル酸ステアリルであることを特徴とする（１）に記載の共重合体組成物。
（４）  モノマー（ｃ）がメタクリル酸ヒドロキシエチルであることを特徴とする（１）に記載の共重合体組成物。
（５）  モノマー（ｄ）についてｍが約５と約１０との間であることを特徴とする（１）に記載の共重合体組成物。
（６）  モノマー（ｅ）がＮ−メチロールアクリルアミドであることを特徴とする（１）に記載の共重合体組成物。
（７）  前記ブロック化イソシアネートが式
（ＣＨ3）（ＣＨ2ＣＨ3）Ｃ＝Ｎ−Ｏ−Ｃ（Ｏ）−ＮＨ−ＣＨ2−ＣＨ2−ＯＣ（Ｏ）Ｃ（Ｒ）＝ＣＨ2
（式中、ＲはＨまたはＣＨ3である）
を有することを特徴とする（１）に記載の組成物。
（８）  撥油性および撥水性を与えるために布または布ブレンドを処理する方法であって、次の重量百分率
（ａ）約４０％〜約７５％の式Ｉのモノマー：
Ｒf−ＣＨ2ＣＨ2−ＯＣ（Ｏ）−Ｃ（Ｒ）＝ＣＨ2  Ｉ
（ｂ）約１５％〜約５５％の式ＩＩのモノマー：
Ｒ2−ＯＣ（Ｏ）−Ｃ（Ｒ）＝ＣＨ2  ＩＩ
（ｃ）１．５％〜約５％の式ＩＩＩのモノマー：
ＨＯ−ＣＨ2ＣＨ2−ＯＣ（Ｏ）−Ｃ（Ｒ）＝ＣＨ2  ＩＩＩ
（ｄ）１．５％〜約５％の式ＩＶのモノマー：
Ｈ−（ＯＣＨ2ＣＨ2）m−Ｏ−Ｃ（Ｏ）−Ｃ（Ｒ）＝ＣＨ2  ＩＶ
（ｅ）１％〜約３％の式Ｖのモノマー：
ＨＯ−ＣＨ2−ＮＨ−Ｃ（Ｏ）−Ｃ（Ｒ）＝ＣＨ2  Ｖ
（ｈ）０％〜約９．８％の塩化ビニリデン、酢酸ビニル、またはそれらの混合物、および
（ｉ）０％〜約２％のブロック化イソシアネート、
（式中、Ｒfは、２〜約２０個の炭素原子の直鎖または分枝鎖のパーフルオロアルキル基であり、各Ｒは独立してＨまたはＣＨ3であり、Ｒ2は、２〜約１８個の炭素原子のアルキル鎖であり、かつ、ｍは２〜約１０である）で共重合されたモノマーを含むコポリマーの分散物を布または布ブレンドの表面へ塗布することを含むことを特徴とする方法。
（９）  その表面に（１）に記載の共重合体が塗布されることを特徴とする布または布ブレンド。
（１０）  約０．０５〜約０．５重量％のフッ素含有率を有することを特徴とする（９）に記載の布または布ブレンド。
（１１）  木綿、レーヨン、絹、羊毛、大麻、ポリエステル、スパンデックス、ポリプロピレン、ポリオレフィン、ナイロン、アラミドまたはポリ（トリメチレンテレフタレート）を含むことを特徴とする（１０）に記載の布または布ブレンド。
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
以下：
（１）４０℃で、約４〜約４５ｍｍ２ｓｅｃ−１の範囲の動粘度を有し、そして約８０％〜約１００％の飽和含量を有する、オイル；および
（２）次式：
【化１】
2005513201.tif 000001
（式中、各Ｍは、別個に、アルカリ金属であり、各Ｒ１は、１個〜６０個の炭素原子を含有するヒドロカルビル基であり、各ｐは、０〜３の数であるが、但し、少なくとも１個のｐは、少なくとも１であり、各Ｘは、別個に、Ｈ、ＣＨＯまたはＣＨ２ＯＨであり、但し、少なくとも１個のＸは、ＣＨ２ＯＨであり、各Ｙは、別個に、ＣＨ２またはＣＨ２ＯＣＨ２であり、そしてｍは、０〜約１０の範囲である）により表わされるサリゲニン誘導体のアルカリ金属塩、
を含有する、急冷油組成物。
【請求項２】
以下：
（３）約３００〜約１０，０００の範囲の
【化２】
2005513201.tif 000002
を有する脂肪族ポリオレフィン；
（４）ヒドロカルビル置換フェノール、サリチル酸、カルボン酸およびスルホン酸の金属塩、ならびにサリゲニン誘導体のアルカリ土類金属塩からなる群から選択されるメンバー；および
（５）エステル、アミド、エステル−アミド、イミド、アミン塩、酸−エステル、酸−アミドエステル−アミン塩、アミドアミン−塩および酸−アミン塩からなる群から選択される、ヒドロカルビル置換コハク酸誘導体からなる群から選択されるメンバー、
の少なくとも１種をさらに含有する、請求項１に記載の組成物。
【請求項３】
前記オイル（１）が、鉱油および／または合成油である、請求項１に記載の組成物。
【請求項４】
前記アルカリ金属塩（２）が、リチウム塩、ナトリウム塩およびカリウム塩からなる群から選択される、請求項１に記載の組成物。
【請求項５】
前記脂肪族ポリオレフィン（３）を含有し、ここで、該脂肪族ポリオレフィンが、３個〜約８個の炭素原子を含有する少なくとも１種のα−オレフィンから誘導される、請求項２に記載の組成物。
【請求項６】
ヒドロカルビル置換フェノール、サリチル酸、カルボン酸およびスルホン酸の金属塩（４）からなる群から選択される少なくとも１種のメンバーを含有する、請求項２に記載の組成物。
【請求項７】
（４）が、イオウまたはメチレンカップリングしたヒドロカルビル置換フェノールまたはサリチル酸の金属塩を含有する、請求項６に記載の組成物。
【請求項８】
前記金属塩（４）が、約４５〜約９０の範囲のＴＢＮを有する、請求項６に記載の組成物。
【請求項９】
ヒドロカルビル置換カルボン酸の金属塩を含有する、請求項６に記載の組成物。
【請求項１０】
ヒドロカルビル置換コハク酸エステル、アミド、エステル−アミド、イミド、アミン塩、酸−エステル、酸−アミドエステル−アミン塩、アミドアミン−塩および酸−アミン塩からなる群から選択される少なくとも１種のメンバー（５）を含有する、請求項２に記載の組成物。
【請求項１１】
金属を熱処理する方法であって、該方法は、該金属をその臨界温度より高い温度に加熱する工程、その後、該金属を急冷油浴に浸漬することによりそれを冷却する工程を包含し、該急冷油浴は、請求項１に記載の急冷油組成物を含有する、
方法。
【手続補正書】
【提出日】平成16年11月24日(2004.11.24)
【手続補正１】
【補正対象書類名】明細書
【補正対象項目名】００１４
【補正方法】変更
【補正の内容】
【００１４】
他の組成物において、高分子量反応性ポリマーは、主エラストマーと不混和性であり、動的に加硫された混合物のエラストマー成分内に別の相としてはっきりわかる。エチレン−プロピレン−ジエンゴムと混合される高い１，２−含有量を有するポリブタジエンを例示できるが、その中の高分子量反応性ポリマーを、エチレン−プロピレン−ジエンゴムの中に、典型的には１００ｎｍ又はそれより小さい寸法を有する別の相として、電子顕微鏡を用いて容易に識別することができる。主エラストマーと不混和性の高分子量反応性ポリマーを用いて得られた結果は、従来技術に基づく予想を考慮すると、驚くほど良好であった。
【手続補正２】
【補正対象書類名】明細書
【補正対象項目名】００４６
【補正方法】変更
【補正の内容】
【００４６】
【表６】
2005513230.tif 000001
【手続補正書】
【提出日】平成16年6月17日(2004.6.17)
【手続補正１】
【補正対象書類名】特許請求の範囲
【補正対象項目名】全文
【補正方法】変更
【補正の内容】
【特許請求の範囲】
【請求項１】
以下：
約０．０１重量％〜約５重量％の遷移金属触媒；
導電性物質；および
式（Ｉ）の化合物と式（ＩＩ）の化合物との重合により得られるポリマー：
【化１】
2005513227.tif 000001
を含む、導電性ポリマー組成物であって、
ここでＲ１、Ｒ２、Ｒ３、Ｒ４、Ｒ５、およびＲ６は、独立して、水素、１〜６個の炭素原子を有するアルキル基、および４〜８個の炭素原子を有するシクロアルキル基からなる群より選択される、導電性ポリマー組成物。
【請求項２】
請求項１に記載の組成物であって、前記遷移金属触媒は、白金、パラジウム、およびロジウムからなる群より選択される、組成物。
【請求項３】
請求項２に記載の組成物であって、前記触媒は白金である、組成物。
【請求項４】
請求項２に記載の組成物であって、前記触媒はグラファイト担持白金である、組成物。
【請求項５】
請求項１に記載の組成物であって、Ｒ１、Ｒ２およびＲ４は水素である、組成物。
【請求項６】
請求項５に記載の組成物であって、Ｒ５およびＲ６は、独立して、水素、メチル、エチル、プロピル、イソプロピル、およびブチルからなる群より選択される、組成物。
【請求項７】
請求項５に記載の組成物であって、Ｒ３はＨであり、Ｒ５はメチルであり、そしてＲ６はメチルまたはエチルである、組成物。
【請求項８】
請求項１に記載の組成物であって、Ｒ１、Ｒ２、Ｒ３、およびＲ４は水素であり、そしてＲ５およびＲ６はメチルである、組成物。
【請求項９】
請求項１に記載の組成物であって、前記導電性物質は、合成グラファイト、熱分解グラファイト、または天然グラファイトである、組成物。
【請求項１０】
以下：
約０．００３重量％〜約１．６重量％の遷移金属触媒；
導電性物質；
式（Ｉ）の化合物と式（ＩＩ）の化合物とを重合することにより得られるポリマーであって：
【化２】
2005513227.tif 000002
ここでＲ１、Ｒ２、Ｒ３、Ｒ４、Ｒ５、およびＲ６は、独立して、水素、１〜６個の炭素原子を有するアルキル基、および４〜８個の炭素原子を有するシクロアルキル基からなる群より選択される、ポリマー；ならびに
有機溶媒、
を含む、インク組成物。
【請求項１１】
請求項１０に記載の組成物であって、前記導電性物質は、合成グラファイト、熱分解グラファイト、または天然グラファイトである、組成物。
【請求項１２】
請求項１０に記載の組成物であって、前記溶媒は二酢酸グリコールである、組成物。
【請求項１３】
請求項１２に記載の組成物であって、前記溶媒は二酢酸エチレングリコールである、組成物。
【請求項１４】
請求項１０に記載の組成物であって、前記遷移金属触媒は、白金、パラジウム、およびロジウムからなる群より選択される、組成物。
【請求項１５】
請求項１４に記載の組成物であって、前記触媒は白金である、組成物。
【請求項１６】
請求項１４に記載の組成物であって、前記触媒はグラファイト担持白金である、組成物。
【請求項１７】
以下：
約０．００３重量％〜約１．６重量％の遷移金属触媒；
置換スチレンまたは非置換スチレンと、Ｒ７Ｃ（ＣＨ２）Ｃ（Ｏ）ＯＲ８とを重合することにより得られるポリマーであって、
ここでＲ７およびＲ８は、独立して、水素または低級アルキルから選択される、ポリマー；
グラファイト；ならびに
二酢酸グリコール、
を含む、インク組成物。
【請求項１８】
請求項１７に記載の組成物であって、前記金属触媒は、白金、パラジウム、およびロジウムからなる群より選択される、組成物。
【請求項１９】
請求項１８に記載の組成物であって、前記触媒は白金である、組成物。
【請求項２０】
請求項１８に記載の組成物であって、前記触媒はグラファイト担持白金である、組成物。
【請求項２１】
請求項１７に記載の組成物であって、Ｒ７およびＲ８は、メチルである、組成物。
【請求項２２】
請求項１７に記載の組成物であって、グラファイトは、合成グラファイトまたは熱分解グラファイトである、組成物。
【請求項２３】
請求項１７に記載の組成物であって、二酢酸グリコールは、二酢酸エチレングリコールである、組成物。
【請求項２４】
約０．００３重量％〜約１．６重量％の白金、ポリ（スチレンメチルメタクリレート）結合剤、グラファイト、および溶媒を含む、導電性ポリマー組成物。
【請求項２５】
請求項２４に記載の組成物であって、グラファイトは、合成グラファイトまたは熱分解グラファイトである、組成物。
【請求項２６】
請求項２４に記載の組成物であって、前記溶媒は、二酢酸エチレングリコールである、組成物。
【請求項２７】
非導電性基板の上の請求項１に記載の導電性ポリマー物質を含む、電極。
【請求項２８】
請求項１に記載の導電性ポリマー組成物を生成する方法であって、該方法は、以下の工程：
遷移金属触媒、導電性物質、ポリマー、および適切な溶媒を混合して、均質な混合物を得る工程；
該溶媒を除去する工程であって、該溶媒の除去により、該導電性ポリマー組成物が生成される、工程、
を包含する、方法。
【請求項２９】
請求項２７に記載の電極を生成する方法であって、該方法は、以下の工程：
遷移金属触媒、導電性物質、ポリマー、および適切な溶媒を混合して、均質な混合物を得る工程、
該均質な混合物を、非導電性基板の上に被覆する工程、および
該溶媒を除去して、該電極を作製する工程、
を包含する、方法。
【請求項３０】
電極を作製する方法であって、該方法は、以下の工程：
非導電性基板上に、請求項１０に記載のインク組成物を被覆する工程、および
該溶媒を除去して、該電極を作製する工程、
を包含する、方法。
【手続補正書】
【提出日】平成16年6月29日(2004.6.29)
【手続補正１】
【補正対象書類名】特許請求の範囲
【補正対象項目名】全文
【補正方法】変更
【補正の内容】
【特許請求の範囲】
【請求項１】
特に金細工製品と衣料分野のための織物製品であって、少なくとも１本の高価な糸（７）を含み、この高価な糸はベースとなる糸（１）とコーティング（６）からなり、該ベースとなる糸（１）は、プラスチック材料または合成繊維のコア（２）が導電性材料からなるコーティング（３）で覆われた構成であり、該コーティング（６）は、貴金属のコーティングであって、ベースとなる糸のコーティング（３）の表面に電気メッキで貴金属を堆積させることによって得られる織物製品において、該貴金属のコーティング（６）が３３〜９５％のカラット重を有することを特徴とする織物製品。
【請求項２】
ベースとなる糸の上記コア（２）が、ナイロンまたはポリアミドを含む、請求項１に記載の織物製品。
【請求項３】
ベースとなる糸に対する上記コーティング（３）が、銀または他の導電性金属を含む、請求項１または２に記載の織物製品。
【請求項４】
上記コア（２）の直径が１０分の数ｍｍであり、上記コーティング（３）の厚さが数ミクロンである、請求項１〜３のいずれか１項に記載の織物製品。
【請求項５】
上記貴金属コーティング（６）が、金、白金、ロジウム、銀などの貴金属を含む、請求項１〜４のいずれか１項に記載の織物製品。
【請求項６】
少なくとも１本のベースとなる糸（１）を撚り合わせて得られた少なくとも１本の紐（４）を含み、その紐（４）が電解槽によって貴金属をコーティングされている、請求項１〜５のいずれか１項に記載の織物製品。
【請求項７】
複数の紐（４）を編んで得られた少なくとも１本の綱（５）を含み、この綱（５）が電解槽によって貴金属をコーティングされている、請求項１〜６のいずれか１項に記載の織物製品。
【請求項８】
ベースとなる複数本の糸（１）を織ることによって得られる少なくとも１つのファブリック（１０）を含み、このファブリック（１０）が電解槽によって貴金属をコーティングされている、請求項１〜６のいずれか１項に記載の織物製品。
【請求項９】
腕輪、ネックレス、リング、装飾品などの装身具を含む、請求項１〜８のいずれか１項に記載の織物製品。
【請求項１０】
デザイナーによる高品質の衣服、ランジェリー、水着などの衣服用ファブリックを含む、請求項１〜９のいずれか1項に記載の織物製品。
【請求項１１】
紐（４）および／または綱（５）および／またはファブリック（１０）を得るために織機で処理されるベースとなる複数本の糸（１）を含み、その糸が電解槽によって貴金属をコーティングされている、請求項１〜１０のいずれか1項に記載の織物製品。
【請求項１２】
特に金細工製品と衣料分野のための織物製品の製造方法であって、
合成繊維製のコア（２）と金属コーティング（３）を含むベースとなる糸（１）を織機で処理し、紐（４）、綱（５）、ファブリック（１０）のいずれかの形態になった織物製品を取得するステップと
この織物製品を、貴金属を含む電解槽に浸し、ベースとなる糸（１）を貴金属層（６）でコーティングすることにより、３３〜９５％カラット重のｗｔ％の貴金属を含む織物製品を得るステップを含む方法。
【請求項１３】
特に金細工製品と衣料分野のための織物製品の製造方法であって、
合成繊維製のコア（２）と金属コーティング（３）を含むベースとなる糸（１）を、貴金属を含む電解槽に浸し、ベースとなる糸（１）に貴金属層（６）をコーティングすることにより、３３〜９５％のカラット重になった高価な糸（７）を得るステップと、
高価な糸（７）を織機で処理し、紐（４）、綱（５）、ファブリック（１０）のいずれかの形態になった織物製品を得るステップを含む方法。
【請求項１４】
織機を用いた上記処理を、紐製造機械、綱製造機械、リボン製造機械、編み機、正方形のファブリックを得るための織機（right-angled looms）、ラッシェル織機、伝線しないようにしたファブリックのための織機のいずれかを用いて実施する、請求項１２または１３に記載の方法。
【手続補正書】
【提出日】平成16年8月25日(2004.8.25)
【手続補正１】
【補正対象書類名】明細書
【補正対象項目名】００２７
【補正方法】変更
【補正の内容】
【００２７】
グリッド・カーソル２８は、ナビゲーション・キーによりあるアイコン・セル２９から次のグリッド・カーソルに移動する。スクロール・バー３０は、選択リスト（すべてのアイコン・セル２９）の長さに関連するマークを付けた項目の位置を表示する。ユーザがリスト内を上下に移動すると、スクロール・バー・タブ３１は上昇または下降する。
【手続補正書】
【提出日】平成16年9月9日(2004.9.9)
【手続補正１】
【補正対象書類名】特許請求の範囲
【補正対象項目名】全文
【補正方法】変更
【補正の内容】
【特許請求の範囲】
【請求項１】
メッセージがグループ（Ｇ）のメンバに由来することを照合者（２、４）に証明するような、署名（ｓ）付きメッセージ（ｍ）を、グループ（Ｇ）のメンバ（Ｍ）が個人用データ（ｚ；Ｋｚ）を用いて生成できるようにするグループ署名ハードウェアシステムに用いられるグループ署名ハードウェア支援機器（２６）であって、
電子的であるとともに、上記個人用データが組み込まれた形式をとることを特徴とするグループ署名ハードウェア支援機器（２６）。
【請求項２】
上記個人用データ（ｚ；Ｋｚ）を用いて、上記メッセージ（ｍ）の上記署名Ｓの前に、個別化された暗号文（Ｃ）を作成する暗号化手段（Ｂ３）を含むことを特徴とする請求項１に記載のグループ署名ハードウェア支援機器（２６）。
【請求項３】
署名するべきメッセージ（ｍ）と、このメッセージに関連付けられた上記暗号文Ｃとの結合を、上記メッセージｍと暗号文（Ｃ）との連結の形式で作成する手段（Ｂ５）を含むことを特徴とする請求項２に記載のグループ署名ハードウェア支援機器（２６）。
【請求項４】
さらに、上記個人用データ（ｚ；Ｋｚ）を用いて、上記メッセージ（ｍ）の上記署名（Ｓｉｇ）を上記メッセージ（Ｃ）に関連付けられた暗号化の形式によって行なう手段（Ｂ６）を含むことを特徴とする請求項１から３のいずれか１つに記載のグループ署名ハードウェア支援機器（２６）。
【請求項５】
上記個人用データが、上記メンバ（Ｍ）に特有の識別子（ｚ）であり、
さらに、上記グループ（Ｇ）の全てのメンバに共通する暗号鍵（Ｋ）を含み、また上記暗号鍵を用いて上記識別子を暗号化（Ｃ）する暗号化手段（Ｂ３）を含むことを特徴とする請求項２から４のいずれか１つに記載のグループ署名ハードウェア支援機器（２６）。
【請求項６】
上記暗号化手段（Ｂ３）は、上記識別子および乱数（ｒ）を暗号化（Ｃ）することを特徴とする請求項５に記載のグループ署名ハードウェア支援機器（２６）。
【請求項７】
上記個人用データが、グループ（Ｇ）の各メンバ（Ｍ）に特有の分散暗号鍵（Ｋｚ）であり、
上記暗号化手段（Ｂ３）が、少なくとも１つのデータ（ｒ）を用いて、上記暗号鍵によって暗号（Ｃ）を作成することを特徴とする請求項２から４のいずれか１つに記載のグループ署名ハードウェア支援機器（２６）。
【請求項８】
上記データは、乱数（ｒ）を含むことを特徴とする請求項７に記載のグループ署名ハードウェア支援機器（２６）。
【請求項９】
上記暗号化手段（Ｂ３）が、秘密鍵暗号アルゴリズム（Ｋ）、例えば、ＡＥＳ（Ａｄｖａｎｃｅｄ  Ｅｎｃｒｙｐｔｉｏｎ  Ｓｔａｎｄａｒｄ）として知られているアルゴリズムを用いることを特徴とする請求項２から８のいずれか１つに記載のグループ署名ハードウェア支援機器（２６）。
【請求項１０】
上記暗号化手段（Ｂ３）が、公開鍵暗号アルゴリズム、例えば、ＲＳＡ（Ｒｉｖｅｓｔ，Ｓｈａｍｉｒ，Ａｄｌｅｍａｎ）として知られているアルゴリズムを用いることを特徴とする請求項２から８のいずれか１つに記載のグループ署名ハードウェア支援機器（２６）。
【請求項１１】
署名（Ｓｉｇ）の手段（Ｂ６）が、公開鍵署名アルゴリズム（ＳＫ）、例えば、ＲＳＡ（Ｒｉｖｅｓｔ，Ｓｈａｍｉｒ，Ａｄｌｅｍａｎ）として知られているアルゴリズムを用いることを特徴とする請求項４から１０のいずれか１つに記載のグループ署名ハードウェア支援機器（２６）。
【請求項１２】
上記署名アルゴリズムが、文献「ＲＳＡ暗号標準−ＲＳＡ研究所−草稿２−２００１年１月５日」において定義されているＰＫＣＳ＃１標準を含むＲＳＡ型であることを特徴とする請求項１１に記載のグループ署名ハードウェア支援機器（２６）。
【請求項１３】
携帯可能な通信装置（２６）であることを特徴とする請求項１から１２のいずれか１つに記載のグループ署名ハードウェア支援機器（２６）。
【請求項１４】
スマートカード（２６）であることを特徴とする請求項１３に記載のグループ署名ハードウェア支援機器（２６）。
【請求項１５】
グループ（Ｇ）署名（Ｓ）付きのメッセージ（ｍ）を送信する方法であって、
上記メッセージ（ｍ）の上記署名が、上記グループ（Ｇ）のメンバ（Ｍ）に共通する秘密鍵（ＳＫ）によって生成され、請求項１から１４のいずれか１つに記載のグループ署名ハードウェア支援機器（２６）により生成された上記個人用データ（ｚ；Ｋｚ）を含んでいるグループ署名システムを用い、
メンバ証明書、またはそのような証明書を所有する証明などの、メンバ（Ｍ）が上記グループ（Ｇ）に所属している証明を、照合者（２、６）に提示することなく、署名されたメッセージを照合者に転送する手段を提供する方法。
【請求項１６】
メッセージのグループ署名と共に受信されたメッセージ（ｍ）を照合する方法であって、
上記メッセージは、請求項１５に係る方法によって送信されたものであり、
上記照合は、上記秘密鍵（ＳＫ）に対応する公開鍵を用いてなされることを特徴とする方法。
【請求項１７】
請求項１から１４のいずれか１つに記載のグループ署名ハードウェア支援機器（２６）を用いるグループ署名システムによって生成された署名（Ｓ）を開放する方法であって、
署名の前に、上記グループ（Ｇ）のメンバ（Ｍ）の個人情報と、メンバの入手可能な個人用データとの対応データを作成するステップと、
署名が開放されるべきグループ署名ハードウェア支援機器（２６）から受信した上記個人用データを復号するステップと、
上記グループ（Ｇ）の上記メンバ（Ｍ）の個人情報に対応される暗号化された個人用データを作成するステップとを含むことを特徴とする方法。
【請求項１８】
請求項１から１４のいずれか一つに記載のグループ署名ハードウェア支援機器（２６）を用いるグループ署名システムにおける、グループに承認されたメンバ（Ｍ）に固有のグループ署名ハードウェア支援機器（２６）を準備する方法であって、
上記グループ署名ハードウェア支援機器（２６）を個別化するために用いられる個人用データ（ｚ；Ｋｚ）を生成し、上記個人用データを秘密署名鍵（ＳＫ）によって上記グループ署名ハードウェア支援機器（２６）に登録するステップを含むことを特徴とする方法。
【請求項１９】
請求項１から１４のいずれか１項に記載のグループ署名ハードウェア支援機器（２６）を読み出すための手段を備える端末（１０）と、サーバ（２）と、販売店（６）と、認証機関（４）と、銀行（８）とを含むグループ署名システム。
【手続補正書】
【提出日】平成16年9月21日(2004.9.21)
【手続補正１】
【補正対象書類名】明細書
【補正対象項目名】０００１
【補正方法】変更
【補正の内容】
【０００１】
本発明は、電動機、特に高速運転のための電動機であって、ハウジング、該ハウジング内にあって、鉄心と該鉄心に、半巻きは該鉄心の内部に、そして半巻きは該鉄心の外部に、トロイダル巻きされた巻き線とを有する固定子、および該固定子の内部にある回転子、から成る電動機に関する。
【手続補正２】
【補正対象書類名】明細書
【補正対象項目名】００１３
【補正方法】変更
【補正の内容】
【００１３】
したがって、本発明による電動機は、固定子鉄心のまわりに軟磁性材料のインダクタンス制御環を有し、該制御環が各相に対して前記電動機の漏れインダクタンスを増大させ、また、該制御環が、固定子の鉄心の外部にあるが電動機ハウジング内にある一体化フィルターインダクタンスを構成し、それにより、固定子鉄心とインダクタンス制御環との間に、磁気エアギャップがある。該エアギャップの厚さが、前記環、固定子鉄心、および該鉄心の外部にある固定子巻き線の半巻きによって構成される一体化フィルターインダクタンスの値を決定する。このエアギャップは電動機の設計時に慎重に計算される。
【手続補正３】
【補正対象書類名】明細書
【補正対象項目名】００１５
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
電動機、特に高速運転のための電動機であって、
電動機ハウジング（４）、該ハウジング内にあって、鉄心（８）と該鉄心（８）に、半巻きは該鉄心（８）の内部に、そして半巻きは該鉄心（８）の外部に、トロイダル巻きされた巻き線（９）とを有する固定子（２）、および該固定子（２）の内部にある回転子（１）、から成る電動機において、
固定子鉄心（８）のまわりに軟磁性材料のインダクタンス制御環（３）を有し、該制御環が各相に対して漏れインダクタンスを増大させ、また、該制御環が、各相に対して、固定子（２）の鉄心（８）の外部にあるが電動機ハウジング（４）内にある一体化フィルターインダクタンス（Ｌ１、Ｌ２、Ｌ３）を構成し、
磁気エアギャップ（１３）が、固定子（２）の鉄心（８）とインダクタンス制御環（３）との間に形成され、該エアギャップ（１３）の厚さが、前記環（３）、固定子鉄心（８）、および鉄心（８）の外部にある固定子巻き線の半巻き（the stator winding half-turns）によって構成されるインダクタンス（Ｌ１、Ｌ２、Ｌ３）の値を決定する
ことを特徴とする電動機。
【請求項２】
インダクタンス制御環（３）におけるうず電流損を制限するために、該制御環の、固定子（２）の軸方向の抵抗が大きくしてあることを特徴とする請求項１に記載の電動機。
【請求項３】
前記環（３）が積層してあるかまたは焼結材料から成ることを特徴とする請求項２に記載の電動機。
【請求項４】
液体冷却され、また固定子（２）が非磁性材料たとえばプラスチック製の内側ハウジング（１１）内に収容され、インダクタンス制御環（３）がこの内側ハウジング（１１）を包囲していることを特徴とする請求項１から３の中のいずれか１つに記載の電動機。
【請求項５】
液体冷却され、またインダクタンス制御環（３）が前記内側ハウジング（１１）内に配置されていることを特徴とする請求項１から３の中のいずれか１つに記載の電動機。
【請求項６】
インダクタンス制御環（３）が、外側ハウジング（４）によって、直接に、または支持体（１２）の介在によって支持されていることを特徴とする請求項１から５の中のいずれか１つに記載の電動機。
【請求項７】
インダクタンス制御環（３）がハウジング（４）であることを特徴とする請求項１から５の中のいずれか１つに記載の電動機。
【請求項８】
インダクタンス制御環（３）が軸方向に分割されていることを特徴とする請求項１から７の中のいずれか１つに記載の電動機。
【請求項９】
固定子（２）の巻き線（９）が鉄心（８）の壁のまわりに環状に配置されていることを特徴とする請求項１から８の中のいずれか１つに記載の電動機。
【請求項１０】
固定子（２）の巻き線（９）が鉄心（８）のスロット内に配置されていることを特徴とする請求項９に記載の電動機。
【請求項１１】
永久磁石同期ＡＣ電動機であることを特徴とする請求項１から１０の中のいずれか１つに記載の電動機。
【手続補正書】
【提出日】平成16年10月21日(2004.10.21)
【手続補正１】
【補正対象書類名】特許請求の範囲
【補正対象項目名】請求項４９
【補正方法】変更
【補正の内容】
【請求項４９】
前記発酵したタンパク質の沈殿が、塩の添加、pHの調節、熱処理、タンパク質分解酵素の添加及び凝集剤の添加からなる群から選択された１以上の方法によって行われている、請求項４３〜４８のいずれか１項に記載の方法。
【手続補正２】
【補正対象書類名】特許請求の範囲
【補正対象項目名】請求項５０
【補正方法】変更
【補正の内容】
【請求項５０】
前記凝集剤が細菌凝集剤である、請求項４９に記載の方法。
【手続補正３】
【補正対象書類名】特許請求の範囲
【補正対象項目名】請求項５１
【補正方法】変更
【補正の内容】
【請求項５１】
前記細菌凝集剤がL.ケフィルグラナムである、請求項５０に記載の方法。
【手続補正４】
【補正対象書類名】明細書
【補正対象項目名】０００５
【補正方法】変更
【補正の内容】
【０００５】
回収されたホエータンパク質に対するより簡単且つコストのかからない方法が開発されているが、それもまた欠点が付随する。主たるパラメーターの中でも、温度、pH、塩、酵素、発酵及び凝集剤を使用する方法がホエータンパク質の回収に役立つが、一般に、商業的な質及び価値の乏しさが孤立する。Lewandoskiと共同発明者によるカナダ特許2,247,824号は、乳製品の廃棄物から微生物バイオマスを生産する方法を記載している。しかし、このような製品は機能的特性、例えば、ヒト用の食品における適用に対し要請されている乳化物質（emulsifiant）特性を有していない。
【手続補正５】
【補正対象書類名】明細書
【補正対象項目名】００６８
【補正方法】変更
【補正の内容】
【００６８】
本発明の好適な実施態様による方法では、発酵したタンパク質の沈殿は、塩の添加、pH調節、熱処理、タンパク質分解酵素の添加及び凝集剤の添加からなる群から選択された１以上の方法によって行われている。
【手続補正６】
【補正対象書類名】明細書
【補正対象項目名】００６９
【補正方法】変更
【補正の内容】
【００６９】
本発明の好適な実施態様による方法では、前記凝集剤は、微生物凝集剤である。
【手続補正７】
【補正対象書類名】明細書
【補正対象項目名】００７０
【補正方法】変更
【補正の内容】
【００７０】
本発明の好適な実施態様による方法では、微生物凝集剤は、L.ケフィルグラナムである。
【手続補正８】
【補正対象書類名】明細書
【補正対象項目名】００９１
【補正方法】変更
【補正の内容】
【００９１】
発明の詳細な説明
本発明は、チーズ産業から獲得された発酵残留物のホエーから生産された可鍛性タンパク質マトリクス(MPM)からなる。このMPMは、ホエータンパク質の凝集を招くことによって獲得され、それらはその後、様々な方法によって回収されている。この方法により、１）タンパク質及び/又はペプチド、２）１又は複数の細菌系統、３）発酵副産物、４）凝集及び凝集体の回収方法中に獲得された他の成分並びに５）水相中に存在する成分からなる、不溶性且つ可鍛性のタンパク質マトリクスの生産が可能になる。凝集後、生じるマトリクスは、ろ過、遠心又はかかる回収を可能にする他の方法によって回収されている。タンパク質の凝集は、pH、温度の調節、塩の添加、タンパク質分解酵素の添加、凝集剤の添加又はこれらの方法の全てもしくはいくつかの組み合わせによって招かれうる。本発明は、MPMの細菌成分など、マトリクスの生じる特徴に影響を与うる様々なパラメーターをも記載する。
【手続補正書】
【提出日】平成16年7月20日(2004.7.20)
【手続補正１】
【補正対象書類名】特許請求の範囲
【補正対象項目名】全文
【補正方法】変更
【補正の内容】
【特許請求の範囲】
【請求項１】
求核試薬の存在下にアニオン重合によって重合可能な少なくとも一つのモノマーを化粧品として受容可能な媒体中に含む組成物の毛髪処置のための使用。
【請求項２】
モノマーを以下の式のモノマーから選択することを特徴とする、請求項１に記載の使用：
2005513087.tif 000001
式中：
Ｒ1及びＲ2は、相互に独立に、電子吸引性をわずかに有するかまったく有しない基、例えば以下を意味する：
−  水素原子、
−  飽和又は不飽和の、直鎖、分岐した又は環状の炭化水素を主体とする基、該基は好ましくは４〜２０の炭素原子を含み、かつ一又は複数の窒素、酸素又は硫黄原子を含んでもよく、かつＯＲ、ＣＯＯＲ、ＣＯＲ、ＳＨ、ＳＲ及びＯＨから選択する一又は複数の基で置換されていてもよく、
−  有機変性したか又は有機変性していないポリシロキサン残基、
−  ポリオキシアルキレン基、
−  ＯＲ、ＣＯＯＲ、ＣＯＲ、ＳＨ、ＳＲ及びＯＨ。
Ｒ3及びＲ4は、相互に独立に、電子吸引性基、好ましくは以下から選択する基を意味し：Ｎ(Ｒ)3+、Ｓ(Ｒ)2+、ＮＨ3+、ＮＯ2、ＳＯ2Ｒ、Ｃ≡Ｎ、ＣＯＯＨ、Ｆ、Ｃｌ、Ｂｒ、Ｉ、ＯＲ、ＣＯＯＲ、ＣＯＲ、ＳＨ、ＳＲ及びＯＨ、直鎖又は分岐したアルケニル基、直鎖又は分岐したアルキニル基及びモノ−又はポリフルオロアルキル基、
Ｒは、Ｃ1〜Ｃ10アルキル基又はＣ1〜Ｃ10モノ−又はポリフルオロアルキル基を意味する。
【請求項３】
モノマーを以下の式の化合物から選択することを特徴とする、請求項１に記載の使用：
2005513087.tif 000002
Ｒ1及びＲ2は上記と同じ意味を有し、Ｒ'3は非−電子吸引性又は電子吸引性の基、例えば式（Ａ）で規定されるものを意味することができる。
【請求項４】
モノマーを（Ｃ1〜Ｃ10）アルキル又はアルコキシシアノアクリレートから選択することを特徴とする、請求項１ないし３のいずれか１項に記載の使用。
【請求項５】
モノマーがポリマー、オリゴマー又はデンドリマーのような支持体に共有結合していることを特徴とする、請求項１ないし４のいずれか１項に記載の使用。
【請求項６】
組成物の毛髪処置のための使用であって、該組成物が求核試薬の存在下にアニオン重合によって重合可能な少なくとも一つのモノマーを化粧品として受容可能な無水のかつ非−吸湿性の媒体中に含むことを特徴とする使用。
【請求項７】
請求項１ないし６のいずれか１項に記載の組成物の使用であって、該組成物が重合禁止剤を含むことを特徴とする使用。
【請求項８】
組成物がローション、スプレー又はムースの形態にあることを特徴とする、請求項１ないし７のいずれか１項に記載の使用。
【請求項９】
請求項１ないし８のいずれか１項に記載の組成物を求核試薬の存在下に適用することを特徴とする、方法。
【請求項１０】
請求項１ないし７のいずれか１項に記載のモノマーを含む組成物を予め湿潤化した毛髪に適用することを特徴とする、請求項９に記載の方法。
【請求項１１】
請求項１ないし６のいずれか１項に記載のモノマーを含む組成物の適用に引き続いてリンスを行うことを特徴とする、請求項９及び１０のいずれか１項に記載の方法。
【手続補正書】
【提出日】平成16年9月14日(2004.9.14)
【手続補正１】
【補正対象書類名】特許請求の範囲
【補正対象項目名】全文
【補正方法】変更
【補正の内容】
【特許請求の範囲】
【請求項１】
流体が目から蒸発するのを防止する目的で目を滑らかにする涙膜が目の上に形成されるように目のアニオン性表面に局所的に適用されて、ドライアイ状態を治療するためのエマルションであって、
Ａ．  水、および
Ｂ．  前記涙膜が前記目のアニオン性表面に静電的に引き寄せられかつそれに接着して前記蒸発を抑制するように前記涙膜に正味の正電荷を与えるカチオン性脂質と非極性燐脂質と非極性油と無毒の乳化剤を含有していて前記水の中に分散している混合物、
を含んで成るエマルション。
【請求項２】
サブミクロンの範囲の液滴で限定されている請求項１記載のエマルション。
【請求項３】
前記油がヒマシ油である請求項１記載のエマルション。
【請求項４】
前記燐脂質がＬｉｐｏｉｄ  Ｅ−８０である請求項１記載のエマルション。
【請求項５】
前記カチオン性脂質がステアリルアミンである請求項１記載のエマルション。
【請求項６】
前記カチオン性脂質がオレイルアミンである請求項１記載のエマルション。
【請求項７】
エマルションに入っている前記燐脂質の相対パーセントが０．１から０．５パーセントの範囲である請求項４記載のエマルション。
【請求項８】
前記混合物がビタミンＥを含有する請求項１記載のエマルション。
【請求項９】
前記混合物が更に乳化剤も含有する請求項１記載のエマルション。
【請求項１０】
前記乳化剤がポリキサマーである請求項９記載のエマルション。
【請求項１１】
エマルションに入っている前記乳化剤の相対パーセントが０．５から２．０パーセントの範囲である請求項１０記載のエマルション。
【請求項１２】
前記混合物が更にグリセロールも含有する請求項１記載のエマルション。
【請求項１３】
更にカチオン性防腐剤も含有する請求項１記載のエマルション。
【請求項１４】
前記防腐剤が塩化ベンザルコニウムである請求項１記載のエマルション。
【請求項１５】
前記混合物が更に目の病気を治療するための水不溶性薬剤も含有する請求項１記載のエマルション。
【請求項１６】
前記薬剤がシクロスポリンである請求項１５記載のエマルション。
【請求項１７】
前記薬剤がタクロリムスである請求項１５記載のエマルション。
【請求項１８】
前記薬剤がシロリムスである請求項１５記載のエマルション。
【請求項１９】
ドライアイ状態治療用薬剤組成物を製造するためのエマルションの使用であって、前記エマルションが、
Ａ．  水、および
Ｂ．  前記水の中に分散していて涙膜が前記目のアニオン性表面に静電的に引き寄せられかつそれに接着して蒸発を抑制するように前記涙膜に正味の正電荷を与えるカチオン性脂質と非極性燐脂質と非極性油と無毒の乳化剤を含有する混合物、
を含んで成る使用。
【請求項２０】
前記混合物に水に不溶な薬剤を含有させる請求項１９記載の方法。
【請求項２１】
免疫介在乾性角結膜炎治療用薬剤組成物を製造するための請求項１９記載の使用であって、前記エマルションが更にシクロスポリンＡも含んで成る使用。
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
以下を含有する、急冷油組成物：
（１）４０℃で、約４０〜約２００ＳＵＳの範囲の動粘度を有し、そして約８０％〜約１００％の飽和含量を有する、オイル；
（２）約３００〜約１０，０００の範囲の
【化１】
2005513200.tif 000001
を有する脂肪族ポリオレフィン；および
（３）以下の（ａ）および（ｂ）からなる群のメンバーから選択される少なくとも１種のメンバー：
（ａ）ヒドロカルビル置換フェノール、サリチル酸、カルボン酸およびスルホン酸の金属塩、およびヒドロカルビル置換サリゲニン誘導体のアルカリ土類金属塩；および必要に応じて、
（ｂ）エステル、アミド、エステル−アミド、イミド、アミン塩、酸−エステル、酸−アミドエステル−アミン塩、アミドアミン−塩および酸−アミン塩からなる群から選択される、ヒドロカルビル置換コハク酸誘導体。
【請求項２】
前記オイル（１）が、鉱油および／または合成油である、請求項１に記載の組成物。
【請求項３】
前記ポリオレフィン（２）が、オレフィン−ポリエン共重合体であり、ここで、該オレフィンが、約３個〜約８個の炭素原子を含有し、そして該オレフィンのモル数と該ポリエンのモル数との比が、約１００：１〜約１：１の範囲である、請求項１に記載の組成物。
【請求項４】
（３）（ａ）ヒドロカルビル置換フェノール、サリチル酸、カルボン酸およびスルホン酸の金属塩ならびにヒドロカルビル置換サリゲニン誘導体のアルカリ土類金属塩からなる群から選択される少なくとも１種のメンバーを含有する、請求項１に記載の組成物。
【請求項５】
（３）（ａ）が、イオウまたはメチレンカップリングしたヒドロカルビル置換フェノールまたはサリチル酸の金属塩を含有する、請求項４に記載の組成物。
【請求項６】
フェノール、サリゲニン誘導体およびサリチル酸の金属塩の金属塩の金属比が、約０．５〜約５の範囲であり、そしてスルホン酸の金属塩の金属比が、約１〜約２０の範囲である、請求項４に記載の組成物。
【請求項７】
前記金属塩（３）（ａ）が、約４５〜約９００の範囲のＴＢＮを有する、請求項４に記載の組成物。
【請求項８】
前記金属塩が、アルカリ土類金属塩である、請求項４に記載の組成物。
【請求項９】
ヒドロカルビル置換フェノールの金属塩を含有する、請求項４に記載の組成物。
【請求項１０】
前記金属塩が、ＭｇまたはＣａメチレンカップリングＣ７〜１５脂肪族基置換フェネートである、請求項９に記載の組成物。
【請求項１１】
ヒドロカルビル置換サリチル酸の金属塩を含有する、請求項４に記載の組成物。
【請求項１２】
ヒドロカルビル置換サリゲニン誘導体のアルカリ土類金属塩を含有する、請求項４に記載の組成物。
【請求項１３】
約０．２重量％〜約１０重量％の前記脂肪族ポリオレフィン（２）、および０．２重量％〜約１０重量％の（３）（ａ）ヒドロカルビル置換フェノール、サリチル酸およびスルホン酸の金属塩、およびヒドロカルビル置換サリゲニン誘導体のアルカリ土類金属塩；および０重量％〜約５重量％の（３）（ｂ）ヒドロカルビル置換コハク酸エステル、アミド、エステル−アミド、イミド、アミン塩、酸−エステル、酸−アミドエステル−アミン塩、アミドアミン−塩および酸−アミン塩を含有する、請求項１に記載の組成物。
【請求項１４】
金属を熱処理する方法であって、該方法は、該金属をその臨界温度より高い温度に加熱する工程、その後、該金属を急冷油浴に浸漬することによりそれを冷却する工程を包含し、該急冷油浴は、請求項１に記載の急冷油組成物を含有する、
方法。
【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
細胞酸化損傷から生じる状態の処置のための組成物であって、該組成物は、リポソームを含み、該リポソームは、以下：
（ｉ）小胞形成脂質、（ｉｉ）親水性ポリマーで誘導体化された約１〜２０の間のモルパーセントの脂質、および（ｉｉｉ）該リポソーム中に封入されているテンパミン
から構成される、
組成物。
【請求項２】
請求項１に記載の組成物であって、前記テンパミンが、一緒に封入されている対イオンの存在下での沈殿を達成するのに十分な濃度で前記リポソームの中に封入されている、組成物。
【請求項３】
前記リポソームが、コレステロールをさらに含む、請求項１または２に記載の組成物。
【請求項４】
前記小胞形成脂質が、水素付加ホスファチジルコリンである、請求項１〜３のいずれか１項に記載の組成物。
【請求項５】
前記親水性ポリマーがポリエチレングリコールである、請求項１〜４のいずれか１項に記載の組成物。
【請求項６】
前記対イオンが、スルフェートである、請求項２に記載の組成物。
【請求項７】
細胞に対する酸化損傷によって引き起される状態を処置する用途のための組成物であって、該組成物は、請求項１〜６のいずれか１項に記載のリポソームを含む、組成物。
【請求項８】
化学療法剤と併用される、請求項７に記載の組成物。
【請求項９】
請求項８に記載の組成物であって、前記化学療法剤が、親水性ポリマーで誘導体化された小胞形成脂質から構成されるリポソーム中に封入されている、組成物。
【請求項１０】
請求項８または９に記載の組成物であって、前記化学療法剤が、ドキソルビシンアナログ、ダウノルビシンアナログ、シスプラチンアナログ、タキソールアナログ、およびカンプトテシンアナログからなる群より選択される、組成物。
【請求項１１】
化学療法活剤の化学療法活性を増強する用途のための組成物であって、該組成物は、薬学的に受容可能なビヒクルで投与されるテンパミンを含む、組成物。
【請求項１２】
前記ビヒクルがリポソームである、請求項１１に記載の組成物。
【請求項１３】
請求項１または１２に記載の組成物であって、ここで、前記化学療法剤はリポソーム封入形態で投与される、組成物。
【請求項１４】
請求項１２または１３に記載の組成物であって、前記リポソームは、以下：（ｉ）小胞形成脂質、（ｉｉ）親水性ポリマーで誘導体化された約１〜２０の間のモルパーセントの脂質から構成される、組成物。
【請求項１５】
請求項１２に記載の組成物であって、前記テンパミンが、一緒に封入されている対イオンの存在下での沈殿を達成するのに十分な濃度で前記リポソームの中に封入されている、組成物。